(57)【要約】【課題】  投球機によって投球される球が被投球部の所望位置に対し精度よく向かわされるようにする。【解決手段】  投球アーム１０が投球アーム本体１１と、この投球アーム本体１１の突出端から突出する球受部１３とを備える。投球アーム１０を「球載置姿勢」としたときの側面視で、球受部１３が球受溝１６を有する球受部本体１７と、球受溝１６の球２が投球アーム本体１１側に転動するのを阻止するストッパ突起１８とを備える。球受部１３が球受溝１６の球２の載置位置を調整可能とする位置調整手段２９を備える。位置調整手段２９がストッパ突起１８に支持されたナット３０と、このナット３０の雌ねじ３１に螺合されるボルト３３とを備える。軸心３２が上記球受溝１６にほぼ平行に延び、ボルト３３の捻回でこのボルト３３が軸心３２上で移動可能とされ、球受溝１６に載置された球２の転動をボルト３３を介しストッパ突起１８で阻止するようにする。【選択図】    図１
2005065978.tif 000002
【特許請求の範囲】
【請求項１】
軸心が左右に延びる回転軸をその軸心回りに回転可能となるよう架台に支承させ、上記回転軸に取り付けられてこの回転軸と共に回転する投球アームを設け、この投球アームが、上記回転軸からその径方向外方に突出する投球アーム本体と、この投球アーム本体の突出端からこの投球アーム本体の突出方向の外方に向かって突出する球受部とを備え、上記投球アームを上記回転軸からその後方に向かってほぼ水平に突出する「球載置姿勢」としたときの側面視で、上記球受部が、上記回転軸のほぼ径方向に向かって延び、球を載置可能とさせる球受溝をその上面に有する球受部本体と、この球受部本体の上記投球アーム本体側の端部から上記球受溝よりも上方に向かって突出しこの球受溝に載置させた球が上記投球アーム本体側に所定以上に転動することを阻止するストッパ突起とを備え、上記投球アームを上記「球載置姿勢」とした後、上記回転軸の上方を通り前方に向かって高速回転させたとき、上記球受溝に載置されていた球が、上記球受溝を上記球受部の突出端にまで転動した後、前方に向かって投球されるようにした野球練習用投球機における投球アーム構造において、
上記球受部が、上記「球載置姿勢」の投球アームにおける球受溝の球の載置位置を調整可能とする位置調整手段を備え、この位置調整手段が、上記ストッパ突起に支持されたナットと、このナットの雌ねじにその軸心上で螺合されるボルトとを備え、上記軸心が上記球受溝にほぼ平行に延び、上記ボルトの捻回でこのボルトが上記軸心上で移動可能とされ、上記球受溝に載置された球の転動を上記ボルトを介し上記ストッパ突起で阻止するようにしたことを特徴とする野球練習用投球機における投球アーム構造。
【請求項２】
上記球受部が互いに重ね合わされる左右一対の板材を備え、上記ストッパ突起を構成する上記両板材の間に上記ナットの雌ねじを成形したことを特徴とする請求項１に記載の野球練習用投球機における投球アーム構造。
【請求項３】
上記軸心が、上記球受溝に載置された球の中心の近傍を通過するようにしたことを特徴とする請求項１、もしくは２に記載の野球練習用投球機における投球アーム構造。
【請求項４】
上記球受部に複数の貫通孔を形成したことを特徴とする請求項１から３のうちいずれか１つに記載の野球練習用投球機における投球アーム構造。
【発明の詳細な説明】
【技術分野】
【０００１】
本発明は、いわゆるアーム式の野球練習用投球機における投球アーム構造に関するものであり、より詳しくは、投球前に球を載置可能とさせる上記投球アームにおける球受部の構造に関するものである。
【背景技術】
【０００２】
上記野球練習用投球機における投球アーム構造には、従来、下記特許文献１に示されたものがある。この公報のものによれば、上記投球機では、軸心が左右に延びる回転軸がその軸心回りに回転可能となるよう架台に支承され、上記回転軸に取り付けられてこの回転軸と共に回転する投球アームが設けられ、この投球アームは、上記回転軸からその径方向外方に突出する投球アーム本体と、この投球アーム本体の突出端からこの投球アーム本体の突出方向の外方に向かって突出する球受部とを備えている。
【０００３】
上記投球アームを上記回転軸からその後方に向かってほぼ水平に突出する「球載置姿勢」としたときの側面視で、上記球受部は、上記回転軸のほぼ径方向に向かって延び、球を載置可能とさせる球受溝をその上面に有する球受部本体と、この球受部本体の上記投球アーム本体側の端部から上記球受溝よりも上方に向かって突出しこの球受溝に載置させた球が上記投球アーム本体側に所定以上に転動することを阻止するストッパ突起とを備えている。
【０００４】
上記投球アーム本体の突出端部に上記球受部が締結具により固着され、上記投球アームの「球載置姿勢」で、上記締結具を弛緩、締結させることにより、上記投球アーム本体に対する上記球受部の球受溝の仰角の大きさが調整可能とされている。上記投球アームをその「球載置姿勢」とした後、上記回転軸の上方を通り前方に向かって高速回転させると、上記球受溝に載置されていた球は、上記球受溝を上記球受部の突出端にまで転動した後、前方に向かって投球されるようになっている。
【０００５】
そして、上記のように投球された球は、所望の投球目標域である被投球部、より具体的には、打撃練習者の打撃域（ストライクゾーン）に向かわされ、この球を打撃することにより、打撃練習が行われることとされている。
【０００６】
また、上記のように投球機により投球させる場合、この球を被投球部の低めに向かわせることは、上記投球アームの「球載置姿勢」において、上記投球アーム本体に対する上記球受部の球受溝の仰角を大きくすることにより達成され、一方、上記球を被投球部の高めに向かわせることは、上記仰角を小さくすることにより達成される。
【０００７】
【特許文献１】特開平８−２８０８６８号公報
【発明の開示】
【発明が解決しようとする課題】
【０００８】
ところで、上記投球された球を被投球部の低めや高めに向かわせることは、上記したように、投球アーム本体に対する球受部の球受溝の仰角の大きさの調整により定められるが、この仰角の大きさを目視で判断することは容易でないことから、上記球を被投球部の低めや高めに精度よく向かわせるということは容易でないと考えられる。
【課題を解決するための手段】
【０００９】
本発明は、上記のような事情に注目してなされたもので、本発明の目的は、投球機によって投球される球が被投球部の所望位置に対し精度よく向かわされるようにすることである。
【００１０】
請求項１の発明は、軸心８が左右に延びる回転軸９をその軸心８回りに回転可能となるよう架台７に支承させ、上記回転軸９に取り付けられてこの回転軸９と共に回転する投球アーム１０を設け、この投球アーム１０が、上記回転軸９からその径方向外方に突出する投球アーム本体１１と、この投球アーム本体１１の突出端からこの投球アーム本体１１の突出方向の外方に向かって突出する球受部１３とを備え、上記投球アーム１０を上記回転軸９からその後方に向かってほぼ水平に突出する「球載置姿勢」としたときの側面視で、上記球受部１３が、上記回転軸９のほぼ径方向に向かって延び、球２を載置可能とさせる球受溝１６をその上面に有する球受部本体１７と、この球受部本体１７の上記投球アーム本体１１側の端部から上記球受溝１６よりも上方に向かって突出しこの球受溝１６に載置させた球２が上記投球アーム本体１１側に所定以上に転動することを阻止するストッパ突起１８とを備え、上記投球アーム１０を上記「球載置姿勢」とした後、上記回転軸９の上方を通り前方に向かって高速回転させたとき、上記球受溝１６に載置されていた球２が、上記球受溝１６を上記球受部１３の突出端にまで転動した後、前方に向かって投球されるようにした野球練習用投球機における投球アーム構造において、
上記球受部１３が、上記「球載置姿勢」の投球アーム１０における球受溝１６の球２の載置位置を調整可能とする位置調整手段２９を備え、この位置調整手段２９が、上記ストッパ突起１８に支持されたナット３０と、このナット３０の雌ねじ３１にその軸心３２上で螺合されるボルト３３とを備え、上記軸心３２が上記球受溝１６にほぼ平行に延び、上記ボルト３３の捻回でこのボルト３３が上記軸心３２上で移動可能とされ、上記球受溝１６に載置された球２の転動を上記ボルト３３を介し上記ストッパ突起１８で阻止するようにしたものである。
【００１１】
請求項２の発明は、請求項１の発明に加えて、上記球受部１３が互いに重ね合わされる左右一対の板材２１，２１を備え、上記ストッパ突起１８を構成する上記両板材２１，２１の間に上記ナット３０の雌ねじ３１を成形したものである。
【００１２】
請求項３の発明は、請求項１、もしくは２の発明に加えて、上記軸心３２が、上記球受溝１６に載置された球２の中心３７の近傍を通過するようにしたものである。
【００１３】
請求項４の発明は、請求項１から３のうちいずれか１つの発明に加えて、上記球受部１３に複数の貫通孔を形成したものである。
【００１４】
なお、この項において、上記各用語に付記した符号は、本発明の技術的範囲を後述の「実施例」の項の内容に限定解釈するものではない。
【発明の効果】
【００１５】
本発明による効果は、次の如くである。
【００１６】
請求項１の発明は、軸心が左右に延びる回転軸をその軸心回りに回転可能となるよう架台に支承させ、上記回転軸に取り付けられてこの回転軸と共に回転する投球アームを設け、この投球アームが、上記回転軸からその径方向外方に突出する投球アーム本体と、この投球アーム本体の突出端からこの投球アーム本体の突出方向の外方に向かって突出する球受部とを備え、上記投球アームを上記回転軸からその後方に向かってほぼ水平に突出する「球載置姿勢」としたときの側面視で、上記球受部が、上記回転軸のほぼ径方向に向かって延び、球を載置可能とさせる球受溝をその上面に有する球受部本体と、この球受部本体の上記投球アーム本体側の端部から上記球受溝よりも上方に向かって突出しこの球受溝に載置させた球が上記投球アーム本体側に所定以上に転動することを阻止するストッパ突起とを備え、上記投球アームを上記「球載置姿勢」とした後、上記回転軸の上方を通り前方に向かって高速回転させたとき、上記球受溝に載置されていた球が、上記球受溝を上記球受部の突出端にまで転動した後、前方に向かって投球されるようにした野球練習用投球機における投球アーム構造において、
上記球受部が、上記「球載置姿勢」の投球アームにおける球受溝の球の載置位置を調整可能とする位置調整手段を備え、この位置調整手段が、上記ストッパ突起に支持されたナットと、このナットの雌ねじにその軸心上で螺合されるボルトとを備え、上記軸心が上記球受溝にほぼ平行に延び、上記ボルトの捻回でこのボルトが上記軸心上で移動可能とされ、上記球受溝に載置された球の転動を上記ボルトを介し上記ストッパ突起で阻止するようにしてある。
【００１７】
このため、上記ボルトを捻回すれば、球の転動の阻止位置が調整できて、上記「球載置姿勢」の投球アームにおける球受部の球受溝への球の載置位置が調整でき、この球受溝への球の載置位置の調整により、上記投球機の投球機本体で投球される球を所望方向に向かわせることができる。
【００１８】
そして、上記したように位置調整手段を構成するナットとボルトの軸心は上記球受溝にほぼ平行に延びているため、上記ボルトの捻回によって、上記球受溝への球の載置位置の調整は微調整が可能となる。よって、その分、投球機によって投球される球を被投球部の所望位置に対し精度よく向かわせることができるという「効果」が生じる。
【００１９】
請求項２の発明は、上記球受部が互いに重ね合わされる左右一対の板材を備え、上記ストッパ突起を構成する上記両板材の間に上記ナットの雌ねじを成形してある。
【００２０】
このため、上記ナットは上記ストッパ突起に一体成形されることとなり、つまり、上記「効果」は簡単な構成で達成される。
【００２１】
請求項３の発明は、上記軸心が、上記球受溝に載置された球の中心の近傍を通過するようにしてある。
【００２２】
このため、上記ボルトの上記球側の端面に対するこの球の外周面の接合面は、上記ボルトの軸心にほぼ直交することから、上記球の接合面が上記軸心に対し傾斜する場合に比べて、上記球受溝への球の載置位置は、より精度よく調整できる。よって、前記「効果」が更に助長される。
【００２３】
請求項４の発明は、上記球受部に複数の貫通孔を形成してある。
【００２４】
このため、上記球受部は上記位置調整手段を設けたことにより重くなりがちであるが、上記貫通孔を形成したことにより、上記球受部が軽量化され、上記球受部が位置調整手段を設けたことにより重くなる、ということが抑制される。よって、上記投球アームが高速回転するときには、その遠心力は速度の二乗に比例して上記球受部には大きい負荷が与えられがちではあるが、この負荷の増大が抑制される。
【００２５】
しかも、上記球受部の軽量化は、従来、採用されていた切り欠きではなくて貫通孔であるため、この貫通孔による球受部の強度低下は上記切り欠きに比べて抑制される。
【発明を実施するための最良の形態】
【００２６】
本発明の野球練習用投球機における投球アーム構造において、投球機によって投球される球が被投球部の所望位置に対し精度よく向かわされるようにする、という目的を実現するため、本発明を実施するための最良の形態は、次の如くである。
【００２７】
即ち、軸心が左右に延びる回転軸がその軸心回りに回転可能となるよう架台に支承され、上記回転軸に取り付けられてこの回転軸と共に回転する投球アームが設けられる。この投球アームは、上記回転軸からその径方向外方に突出する投球アーム本体と、この投球アーム本体の突出端からこの投球アーム本体の突出方向の外方に向かって突出する球受部とを備えている。
【００２８】
上記投球アームを上記回転軸からその後方に向かってほぼ水平に突出する「球載置姿勢」としたときの側面視で、上記球受部は、上記回転軸のほぼ径方向に向かって延び、球を載置可能とさせる球受溝をその上面に有する球受部本体と、この球受部本体の上記投球アーム本体側の端部から上記球受溝よりも上方に向かって突出しこの球受溝に載置させた球が上記投球アーム本体側に所定以上に転動することを阻止するストッパ突起とを備えている。
【００２９】
上記投球アームを上記「球載置姿勢」とした後、上記回転軸の上方を通り前方に向かって高速回転させたとき、上記球受溝に載置されていた球が、上記球受溝を上記球受部の突出端にまで転動した後、前方に向かって投球される。
【００３０】
上記球受部は、上記「球載置姿勢」の投球アームにおける球受溝の球の載置位置を調整可能とする位置調整手段を備え、この位置調整手段は、上記ストッパ突起に支持されたナットと、このナットの雌ねじにその軸心上で螺合されるボルトとを備えている。上記軸心は上記球受溝にほぼ平行に延び、上記ボルトの捻回でこのボルトが上記軸心上で移動可能とされ、上記球受溝に載置された球の転動は上記ボルトを介し上記ストッパ突起で阻止される。
【実施例】
【００３１】
本発明をより詳細に説明するために、その実施例を添付の図に従って説明する。
【００３２】
図１―６において、符号１は野球練習用のアーム式投球機で、矢印Ｆｒはこの投球機１による球２の投球方向の前方を示している。
【００３３】
上記投球機１は、野球練習用のグランドである地面３上の被投球部に向かって、かつ、前方に向かって球２を投球する投球機本体４と、この投球機本体４によって球２を投球させるために多数の球２を貯留可能にすると共に、その球２を一つづつ上記投球機本体４に供給する不図示の球供給装置と、これら投球機本体４と球供給装置とを支持して上記地面３上の任意位置にまで移動可能とさせる台車５とを備えている。
【００３４】
上記投球機本体４は、上記台車５に支持される架台７と、左右に延びる軸心８回りに回転可能となるよう上記架台７に支承される回転軸９と、この回転軸９に取り付けられてこの回転軸９と共に回転する投球アーム１０とを備えている。また、この投球アーム１０は、上記回転軸９からその径方向の外方に突出する投球アーム本体１１と、この投球アーム本体１１の突出端部に締結具１２によって締結され、上記投球アーム本体１１の突出方向の外方に向かって突出する球受部１３とを備えている。
【００３５】
図２中二点鎖線と、図１とで示すように、上記投球アーム１０を上記回転軸９からその後方に向かってほぼ水平に突出する「球載置姿勢」としたときの側面視で、上記球受部１３は、上記回転軸９の径方向に向かって延び上記球２を載置可能とさせる球受溝１６をその上面に有する球受部本体１７と、この球受部本体１７の上記投球アーム本体１１側の端部から上記球受溝１６よりも上方に向かって突出し上記球受溝１６に載置された球２が上記投球アーム本体１１側に所定以上に転動することを阻止するストッパ突起１８とを備えている。
【００３６】
上記投球アーム１０の「球載置姿勢」で、上記球受部１３の球受溝１６に対し上記球供給装置から一つの球２が供給することとされ、上記「球載置姿勢」で、上記球受溝１６は後上方に向かって直線的に延び、上記投球アーム本体１１に対する上記球受部１３の球受溝１６の仰角は上記締結具１２の弛緩、締結によって調整可能とされている。
【００３７】
上記球受部１３は、互いに重ね合わされる左右一対の板金製板材２１，２１を備え、これら両板材２１，２１は固着具２２であるリベットにより互いに固着されている。上記両板材２１，２１の各上縁部が互いに離反するよう屈曲させられており、これら両上縁部によって上記球受溝１６が形成されている。
【００３８】
上記投球機本体４は、上記回転軸９を弾性的に付勢するばね２４と、このばね２４の弾性力に対抗して上記回転軸９を投球アーム１０と共に、上記軸心８回りの一方向Ａに向かって回転駆動させる減速電動機２５とを備えている。この場合、投球アーム１０がその「球載置姿勢」から少し上方にまで回転した位置（図２中一点鎖線）が、上記投球アーム１０の「初期位置」とされ、この「初期位置」から１８０°偏位した位置が上記投球アーム１０の「中立位置」とされる。
【００３９】
上記投球アーム１０は、上記ばね２４の付勢力により、上記一方向Ａに向かって上記「初期位置」から上記回転軸９の上方を通り、上記「中立位置」にまで高速回転させられるようになっており、上記投球アーム１０の高速回転範囲が投球範囲αとされる。そして、この投球範囲αでの投球アーム１０の高速回転により、上記球受部１３の球受溝１６に載置されていた球２が、上記球受溝１６を上記球受部１３の球受部本体１７の突出端にまで転動した後、前方に向かって投球される。
【００４０】
一方、上記投球アーム１０は、上記電動機２５の駆動により、上記「中立位置」から上記一方向Ａに向かって上記回転軸９の下方を通り、かつ、上記「球載置姿勢」を経た後、上記「初期位置」に戻されるようになっており、このように投球アーム１０が戻る際の回転範囲が戻り範囲βとされ、上記「球載置姿勢」で、前記したように投球アーム１０の球受部１３の球受溝１６に対し球供給装置から球２が供給されて載置される。以下、上記動作が繰り返されて、球２が１つづつ前方に向かって投球される。
【００４１】
図１，４―６において、上記球受部１３は、上記「球載置姿勢」の投球アーム１０における球受溝１６に載置された球２の載置位置を、上記球受溝１６の長手方向で調整可能とする位置調整手段２９を備えている。
【００４２】
上記位置調整手段２９は、上記ストッパ突起１８に支持されたナット３０と、このナット３０の雌ねじ３１にその軸心３２上で螺合されるボルト３３と、このボルト３３に螺合されて上記ストッパ突起１８に対し上記ボルト３３を固定可能とするロックナット３４とを備えている。上記軸心３２は、上記球受溝１６にほぼ平行に延び、上記ボルト３３の捻回でこのボルト３３が上記軸心３２上で往、復移動可能とされている。そして、上記球受溝１６に載置された球２の転動が上記ボルト３３を介し上記ストッパ突起１８で阻止されるようになっている。
【００４３】
上記ストッパ突起１８を構成する上記両板材２１，２１の各一部分がそれぞれ外側方に向かって膨出させられている。これら両膨出部３６，３６は上記球受溝１６とほぼ平行に延びるビード形状とされ、上記両膨出部３６，３６によって上記ナット３０が上記ストッパ突起１８に一体成形され、このストッパ突起１８に支持されている。これにより、上記ナット３０の雌ねじ３１は上記ストッパ突起１８を構成する両板材２１，２１の間に形成されている。また、上記軸心３２は、上記球受溝１６上の球２の中心３７の近傍を通過することとされている。また、上記球受部１３の各板材２１にはそれぞれ複数の貫通孔３９が形成され、これら各貫通孔３９は左右対称形とされている。
【００４４】
上記構成によれば、球受部１３が、上記「球載置姿勢」の投球アーム１０における球受溝１６の球２の載置位置を調整可能とする位置調整手段２９を備え、この位置調整手段２９が、上記ストッパ突起１８に支持されたナット３０と、このナット３０の雌ねじ３１にその軸心３２上で螺合されるボルト３３とを備え、上記軸心３２が上記球受溝１６にほぼ平行に延び、上記ボルト３３の捻回でこのボルト３３が上記軸心３２上で移動可能とされ、上記球受溝１６に載置された球２の転動を上記ボルト３３を介し上記ストッパ突起１８で阻止するようにしてある。
【００４５】
このため、上記ロックナット３４を弛緩して上記ボルト３３を捻回すれば、球２の転動の阻止位置が調整できて、上記「球載置姿勢」の投球アーム１０における球受部１３の球受溝１６への球２の載置位置が調整できる。
【００４６】
ここで、図１，４―６中実線で示すように、上記球受溝１６への球２の載置位置を上記投球アーム本体１１側にさせると、その分、上記投球アーム１０が投球範囲αで高速回転し、これに伴い上記球２が上記球受溝１６を転動して投球されるときの転動距離が長くなり、もって、上記球２は被投球部の低めに向かわされる。一方、図６中一点鎖線で示すように、上記球受溝１６への球２の載置位置を上記投球アーム本体１１側から離れさせると、その分、上記投球アーム１０が投球範囲αで高速回転し、これに伴い上記球２が上記球受溝１６を転動して投球されるときの転動距離が短くなり、もって、上記球２は被投球部の高めに向かわされる。即ち、上記球受溝１６への球２の載置位置を調整することにより、上記投球機１の投球機本体４で投球される球２を所望方向に向かわせることができる。
【００４７】
そして、上記したように位置調整手段２９を構成するナット３０とボルト３３の軸心３２は上記球受溝１６にほぼ平行に延びているため、上記ボルト３３の捻回によって、上記球受溝１６への球２の載置位置の調整は微調整が可能となる。よって、その分、投球機１によって投球される球２を被投球部の所望位置に対し精度よく向かわせることができるという「効果」が生じる。
【００４８】
また、前記したように、球受部１３が互いに重ね合わされる左右一対の板材２１，２１を備え、上記ストッパ突起１８を構成する上記両板材２１，２１の間に上記ナット３０の雌ねじ３１を成形してある。
【００４９】
このため、上記ナット３０は上記ストッパ突起１８に一体成形されることとなり、つまり、上記「効果」は簡単な構成で達成される。
【００５０】
また、上記の場合、ストッパ突起１８を構成する両板材２１，２１の各一部分がそれぞれ外側方に向かって膨出させられてビードが形成され、これら両膨出部３６，３６によって上記ナット３０が上記ストッパ突起１８に一体成形されている。
【００５１】
このため、上記ストッパ突起１８は上記球受部本体１７から突設されて片持ち支持されたものであり、剛性を確保し難いものではあるが、上記ストッパ突起１８は、上記両膨出部３６，３６の形成という簡単な構成により補強されて所定の剛性が確保される。
【００５２】
また、前記したように、軸心３２が、上記球受溝１６に載置された球２の中心３７の近傍を通過するようにしてある。
【００５３】
このため、上記ボルト３３の上記球２側の端面に対するこの球２の外周面の接合面は、上記ボルト３３の軸心３２にほぼ直交することから、上記球２の接合面が上記軸心３２に対し傾斜する場合に比べて、上記球受溝１６への球２の載置位置は、より精度よく調整できる。よって、前記「効果」が更に助長される。
【００５４】
また、前記したように、球受部１３に複数の貫通孔を形成してある。
【００５５】
このため、上記球受部１３は上記位置調整手段２９を設けたことにより重くなりがちであるが、上記貫通孔３９を形成したことにより、上記球受部１３が軽量化され、上記球受部１３が位置調整手段２９を設けたことにより重くなる、ということが抑制される。よって、上記投球アーム１０が高速回転するときには、その遠心力は速度の二乗に比例して上記球受部１３には大きい負荷が与えられがちではあるが、この負荷の増大が抑制される。
【００５６】
しかも、上記球受部１３の軽量化は、従来、採用されていた切り欠きではなくて貫通孔３９であるため、この貫通孔３９による球受部１３の強度低下は上記切り欠きに比べて抑制される。
【００５７】
図７は、球受部１３についての他の実施例を示しており、これによれば、上記ストッパ突起１８に対し別体のナット３０が支持されている。
【図面の簡単な説明】
【００５８】
【図１】図２中二点鎖線部分の拡大図である。
【図２】投球機の側面図である。
【図３】投球機の背面部分図である。
【図４】図１で示したものの平面図である。
【図５】図１の５‐５線矢視断面図である。
【図６】図１の部分拡大作用説明図である。
【図７】球受部についての他の実施例を示し、図５の一部に相当する図である。
【符号の説明】
【００５９】
１    投球機
２    球
４    投球機本体
７    架台
８    軸心
９    回転軸
１０  投球アーム
１１  投球アーム本体
１２  締結具
１３  球受部
１６  球受溝
１７  球受部本体
１８  ストッパ突起
２１  板材
２９  位置調整手段
３０  ナット
３１  雌ねじ
３２  軸心
３３  ボルト
３６  膨出部
３７  中心
３９  貫通孔
α    投球範囲
β    戻り範囲
【図１】
2005065978.tif 000003
【図２】
2005065978.tif 000004
【図３】
2005065978.tif 000005
【図４】
2005065978.tif 000006
【図５】
2005065978.tif 000007
【図６】
2005065978.tif 000008
【図７】
2005065978.tif 000009